(57)【要約】【課題】水泳時に腰や脚の位置が上半身の位置より下がることを抑制し、運動パフォーマンスを向上させることができる水着を提供する。【解決手段】本発明は、着用時に少なくとも着用者の腰部から膝上までを覆う水着１００であって、強緊締部Ａ（１ａ、１ｂ）は、大臀筋の腰椎から外側に向けて連続的に３０％以上を覆う領域と、ハムストリングスの一部を覆う領域に配置されており、縦方向後面から見て逆ハ字状になっている水着に関する。水着１００において、強緊締部Ａ（１ａ、１ｂ）は、大臀筋の腰椎から外側に向けて連続的に５０％以上９０％以下を覆う領域と、ハムストリングスの半腱様筋と半膜様筋の一部とを覆う領域に配置されていることが好ましい。【選択図】図１
2014091894.tif 000002
【特許請求の範囲】
【請求項１】
着用時に少なくとも着用者の腰部から膝上までを覆う水着であって、
強緊締部Ａは、大臀筋の腰椎から外側に向けて連続的に３０％以上を覆う領域と、ハムストリングスの一部を覆う領域に配置されており、縦方向後面から見て逆ハ字状になっていることを特徴とする水着。
【請求項２】
前記強緊締部Ａは、大臀筋の腰椎から外側に向けて連続的に５０％以上９０％以下を覆う領域と、ハムストリングスの半腱様筋と半膜様筋の一部とを覆う領域に配置されている請求項１に記載の水着。
【請求項３】
前記強緊締部Ａは、ＪＩＳ  Ｌ  １０９６  ８．１４．Ａ法に基づいて測定する身体の長軸方向に２０％伸長時の荷重が１０〜３０Ｎである請求項１又は２に記載の水着。
【請求項４】
前記強緊締部Ａは、ＪＩＳ  Ｌ  １０９６  ８．１４．Ａ法に基づいて測定する身体の短軸方向に２０％伸長時の荷重が５〜３０Ｎである請求項１〜３のいずれか１項に記載の水着。
【請求項５】
前記強緊締部Ａにおいて、前記大臀筋を覆う領域は、水着を構成する第１の生地に第２の生地を重ね合せて形成されている請求項１〜４のいずれか１項に記載の水着。
【請求項６】
ハーフスパッツ型又はスパッツ型である請求項１〜５のいずれか１項に記載の水着。
【発明の詳細な説明】
【技術分野】
【０００１】
本発明は、水着に関する。詳細には、着用時に少なくとも着用者の腰部から膝上までを覆う水着に関する。
【背景技術】
【０００２】
水泳、特に競泳においては、水の抵抗を低くした水着が求められる。水の抵抗としては、身体形状に依存する形状抵抗などがある。特許文献１〜２には、形状抵抗を低減するため、体幹安定性に着目した水着が記載されている。
【先行技術文献】
【特許文献】
【０００３】
【特許文献１】特開２００８−１５０７６８号公報
【特許文献２】特開２００８−２８０６５６号公報
【発明の概要】
【発明が解決しようとする課題】
【０００４】
しかし、競泳などにおいて、レースの進行に伴って疲れてくると、キックのテンポが落ち、腰の位置が上半身の位置より下がって身体が立ってしまうことがある。身体が立ってしまうと、脚の位置も下がることになる。図４Ａは水泳におけるフラットな姿勢を側面から観察した場合を説明する側面模式図であり、図４Ｂは同姿勢時の水中の進行方向に対する身体の投影面積を示す説明図である。図４Ｃは、水泳における腰が水平位置から落ちた姿勢を側面から観察した場合を説明する側面模式図であり、図４Ｄは同姿勢時の水中の進行方向に対する身体の投影面積を示す説明図である。図４Ｅは、水泳における脚が水平位置から落ちた姿勢を側面から観察した場合を説明する側面模式図であり、図４Ｆは同姿勢時の水中の進行方向に対する身体の投影面積を示す説明図である。図４Ａ−Ｂに示しているように、身体がフラットな姿勢（水平姿勢）の場合は、水中の進行方向における投影面積が小さく、水による形状抵抗が少ない。しかし、図４Ｃ−Ｆに示しているように、腰の位置や脚の位置が下がると、水中の進行方向における投影面積が大きくなり、水による形状抵抗が大きくなる。そのため、腰の位置や脚の位置が下がると、ストロークも短くなり、速度も低下し、結果的に運動パフォーマンスが低下する問題があった。例えば、フラットな姿勢に対して、腰の位置や脚の位置が下がると形状抵抗は約２倍以上になる。
【０００５】
本発明は、前記問題を解決するため、水泳時に腰や脚の位置が上半身の位置より下がることを抑制し、運動パフォーマンスを向上させることができる水着を提供する。
【課題を解決するための手段】
【０００６】
本発明は、着用時に少なくとも着用者の腰部から膝上までを覆う水着であって、強緊締部Ａは、大臀筋の腰椎から外側に向けて連続的に３０％以上を覆う領域と、ハムストリングスの一部を覆う領域に配置されており、縦方向後面から見て逆ハ字状になっていることを特徴とする水着に関する。
【０００７】
本発明の水着において、前記強緊締部Ａは、大臀筋の腰椎から外側に向けて連続的に５０％以上９０％以下を覆う領域と、ハムストリングスの半腱様筋と半膜様筋の一部とを覆う領域に配置されていることが好ましい。また、前記強緊締部Ａは、ＪＩＳ  Ｌ  １０９６  ８．１４．Ａ法に基づいて測定する身体の長軸方向に２０％伸長時の荷重が１０〜３０Ｎであることが好ましい。また、前記強緊締部Ａは、ＪＩＳ  Ｌ  １０９６  ８．１４．Ａ法に基づいて測定する身体の短軸方向に２０％伸長時の荷重が５〜３０Ｎであることが好ましい。前記強緊締部Ａにおいて、前記大臀筋を覆う領域は、水着を構成する第１の生地に第２の生地を重ね合せて形成してもよい。また、本発明の水着は、ハーフスパッツ型であってもよく、スパッツ型であってもよい。
【発明の効果】
【０００８】
本発明は、着用時に大臀筋の腰椎から外側に向けて連続的に３０％以上を覆う領域と、ハムストリングスの一部を覆う領域に、縦方向後面から見て逆ハ字状になるように、強緊締部Ａを配置することにより、水泳時に腰や脚が上半身の位置より下がることを抑制し、運動パフォーマンスを向上させることができる水着を提供する。
【図面の簡単な説明】
【０００９】
【図１】図１Ａは本発明の一実施形態の水着の正面図であり、図１Ｂは同背面図である。
【図２】図２Ａは本発明の他の一実施形態の水着の正面図であり、図２Ｂは同背面図である。
【図３】図３Ａは本発明の他の一実施形態の水着の正面図であり、図３Ｂは同背面図である。
【図４】図４Ａは水泳におけるフラットな姿勢を側面から観察した場合を説明する側面模式図であり、図４Ｂは同姿勢時の水中の進行方向に対する身体の投影面積を示す説明図である。図４Ｃは、水泳における腰が水平位置から落ちた姿勢を側面から観察した場合を説明する側面模式図であり、図４Ｄは同姿勢時の水中の進行方向に対する身体の投影面積を示す説明図である。図４Ｅは、水泳における脚が水平位置から落ちた姿勢を側面から観察した場合を説明する側面模式図であり、図４Ｆは同姿勢時の水中の進行方向に対する身体の投影面積を示す説明図である。
【図５】図５は水泳時にフラットな姿勢を維持する際の身体の背部における皮膚の伸びを示す説明図である。
【図６】図６は本発明の水着を着用した際の筋張力を評価する筋骨格モデルの背面を示す説明図である。
【発明を実施するための形態】
【００１０】
本発明者らは、水泳時に腰や脚の位置が上半身の位置より下がることで、形状抵抗が大きくなり、運動パフォーマンスが低下する問題を解決するため、鋭意検討した。まず、フラットな姿勢で水泳する際（けのび時）の身体の背部における皮膚の伸びを特許３８３１３４８号公報に記載の手法を用いて解析した。その結果を図５に示している。図５において、３００は皮膚の伸びの度合を示し、ＩからＩＩ方向へ行くほど、皮膚の伸びの程度が高いことを示す。図５から分かるように、フラットな姿勢時に臀部から臀溝（臀部と大腿部の境界）に掛けて皮膚伸びが大きい。本発明の水着では、この部分に強緊締部を配置してサポートすることで、水泳時に腰や脚の位置が上半身の位置より下がることを抑制し、フラットな姿勢を維持し、運動パフォーマンスを向上させることができる。また、高校生の競泳選手の大腿部において、大腿四頭筋断面積の全筋断面積に対する割合が５４〜５５％であるというデータが発表されている（「プロサッカー選手を選抜した潜在的な要因」、星川佳広、浜松ホトニクス（株）、スポ-ツ方法学研究 、 83-89、 2007-12、 日本スポ-ツ方法学会）。すなわち、大腿部の骨格筋において、前腿（大腿前面）の筋である大腿四頭筋が５４〜５５％を占め、後腿（大腿後面）の筋であるハムストリングスが４５〜４６％を占めることになる。ハムストリングスは、大腿後面（下肢後面）にある大腿二頭筋、半膜様筋、半腱様筋を合わせた呼び方である。本発明の水着では、強緊締部を配置して後腿のハムストリングスをサポートすることで、水泳時に腰や脚の位置が上半身の位置より下がることを抑制し、フラットな姿勢を維持し、運動パフォーマンスを向上させることができる。
【００１１】
本発明では、着用時に少なくとも着用者の腰部から膝上までを覆う水着において、大臀筋の腰椎から外側に向けて連続的に３０％以上を覆う領域（大臀筋を覆う領域）と、ハムストリングスの一部を覆う領域（ハムストリングスを覆う領域）に、縦方向後面から見て逆ハ字状になるように、強緊締部Ａを配置することにより、フラットな姿勢時に皮膚伸びが大きい臀部から臀溝までの部分や水泳選手の大腿において筋肉量が相対的に少ないハムストリングスをサポートする。それにより、水泳時に腰や脚が上半身より下がることを抑制し、フラットな姿勢を維持し、運動パフォーマンスを向上させる。また、競泳選手は股関節を内旋させた状態でキックを打つことで推進力を発揮するので、上記のように強緊締部Ａを臀部から内股に掛けて、大臀筋を覆う領域とハムストリングスを覆う領域に配置すると、キックを阻害せずに脚（膝）が外へ開くのを抑制でき、運動パフォーマンスが向上する。前記強緊締部Ａは、大臀筋の腰椎から外側に向けて連続的に５０％以上９０％以下を覆う領域と、ハムストリングスの半腱様筋と半膜様筋の一部とを覆う領域に配置されていることが好ましい。より効果的に、水泳時に腰や脚が上半身より下がることを抑制し、フラットな姿勢を維持し、運動パフォーマンスを向上させることができる。また、より効果的に、脚（膝）が外へ開くのを抑制し、運動パフォーマンスを向上させることができる。
【００１２】
前記強緊締部Ａは、ＪＩＳ  Ｌ  １０９６  ８．１４．Ａ法（定速伸長法）に基づいて測定する身体の長軸方向に２０％伸長時の荷重（以下において、単に２０％長軸荷重とも記す。）が１０Ｎ以上であることが好ましく、より好ましくは１２Ｎ以上であり、さらに好ましくは１４Ｎ以上である。２０％長軸荷重が１０Ｎ以上であれば、水泳時に大臀筋とハムストリングスに対してサポート効果を発揮でき、腰や脚が上半身より下がることや脚が外に開くのを効果的に抑制できる。前記強緊締部Ａは、２０％長軸荷重が３０Ｎ以下であることが好ましく、より好ましくは２７Ｎ以下であり、さらに好ましくは２４Ｎ以下である。２０％長軸荷重が、３０Ｎ以下であれば、履きやすく、着用感も良好になる。前記強緊締部Ａは、特に限定されないが、２０％長軸荷重が、その他の部分より５Ｎ以上高いことが好ましく、１０Ｎ以上高いことがより好ましい。
【００１３】
前記強緊締部Ａは、特に限定されないが、ＪＩＳ  Ｌ  １０９６  ８．１４．Ａ法に基づいて測定する身体の長軸方向に１０％伸長時の荷重（以下において、単に１０％長軸荷重とも記す。）が、５〜１５Ｎであることが好ましく、より好ましくは８〜１３Ｎである。１０％長軸荷重が上記範囲内であると、臀部や大腿に対してより優れたサポート効果が得られる。
【００１４】
前記強緊締部Ａは、特に限定されないが、ＪＩＳ  Ｌ  １０９６  ８．１４．Ａ法に基づいて測定する身体の長軸方向に４０％伸長時の荷重（以下において、単に４０％長軸荷重とも記す。）が、２０〜５０Ｎであることが好ましく、より好ましくは２５〜４５Ｎである。４０％長軸荷重が上記範囲内であると、臀部や大腿に対して優れたサポート効果が得られるとともに、着用感も良好である。
【００１５】
前記強緊締部Ａは、特に限定されないが、ＪＩＳ  Ｌ  １０９６  ８．１４．Ａ法に基づいて測定する身体の短軸方向に２０％伸長時の荷重（以下において、単に２０％短軸荷重と記す。）が５Ｎ以上であることが好ましく、より好ましくは９Ｎ以上であり、さらに好ましくは１３Ｎ以上である。また、前記強緊締部Ａは、特に限定されないが、２０％短軸荷重が３０Ｎ以下であることが好ましく、より好ましくは２８Ｎ以下であり、さらに好ましくは２６Ｎ以下である。２０％短軸荷重が、上記の範囲であれば、水泳時に大臀筋とハムストリングスに対するサポート効果が得られ、履きやすく、着用感も良好になる。
【００１６】
前記強緊締部Ａは、特に限定されないが、一枚の生地で構成されてもよく、二枚の生地を重ね合せた二重生地で構成してもよい。所望の緊締力が得られやすいという観点から、二重生地で構成することが好ましい。例えば、水着を構成する第１の生地に第２の生地を重ね合わせて二重生地にすることができる。前記第１の生地と第２の生地は、同じ生地であってもよく、異なる生地であってもよい。
【００１７】
前記強緊締部Ａにおいて、大臀筋を覆う領域のみを第１の生地と第２の生地の二重生地で構成してもよい。また、前記強緊締部Ａは、ホットメルト層により第３の生地を、第１の生地及び／又は第２の生地に貼り合わせた部分を有してもよい。前記貼り合わせ部分は、少なくとも臀溝を覆う領域に配置されている臀溝貼り合わせ部を含むことが好ましい。また、前記貼り合わせ部分は、強緊締部Ａの周縁部に配置されている外側貼り合わせ部を含むことがより好ましい。また、前記貼り合わせ部分は、前記外側貼り合わせ部の内側に配置されている内側貼り合わせ部を含むことがさらに好ましい。前記外側貼り合わせ部と内側貼り合わせ部は、臀部から内股部まで伸びており、縦方向後面から見て逆ハ字状になっていることが好ましい。なお、前記貼り合わせ部分は、腰部を覆う領域に配置されている腰貼り合わせ部を含んでもよい。前記第３の生地は、第１の生地及び／又は第２の生地と同じ生地であってもよく、異なる生地であってもよい。
【００１８】
本発明において、前記強緊締部Ａなどの水着を構成する生地の身体の長軸方向に伸長時の荷重を測定する際は、幅５ｃｍ、チャック間隔１０ｃｍ、掴みしろを両端に２．５ｃｍずつ設けた試験片を用い、引張速度２０ｃｍ／分で測定する。同様に、前記強緊締部Ａなどの水着を構成する生地の身体の短軸方向に伸長時の荷重を測定する際は、幅５ｃｍ、チャック間隔５ｃｍ、掴みしろを両端に２．５ｃｍずつ設けた試験片を用い、引張速度２０ｃｍ／分で測定する。前記強緊締部Ａの荷重測定用試験片としては、大臀筋を覆う領域で、上述したサイズの生地片をカットして用いる。
【００１９】
本発明の水着に用いる生地、例えば前記第１の生地、第２の生地及び第３の生地などとしては、通常水着に用いられる伸縮性生地であればよく、特に限定されない。また、前記第２の生地及び／又は第３の生地としては、前記第１の生地より、伸縮性が低い生地を用いてもよい。
【００２０】
本発明の水着に用いる生地、例えば前記第１の生地、第２の生地及び第３の生地などとしては、特に限定されないが、弾性糸を含むワンウエイ又はツーウエイの織物又は編物が好ましい。前記弾性糸は、ポリウレタン系弾性糸及びポリエステル系弾性糸から選ばれる少なくとも一つであることが好ましい。ストレッチ性が高く、スポーツ衣料に適しているからである。前記弾性糸は、ベアヤーン（裸糸）として、非弾性糸（リジッド糸）と引きそろえて使用してもよいし、又は表面にポリエステル繊維もしくはナイロン繊維が被覆されたカバードヤーンとして使用してもよい。
【００２１】
前記第１の生地、第２の生地及び第３の生地の目付は５０〜４００ｇ／ｍ2の範囲であることが好ましく、より好ましくは８０〜３００ｇ／ｍ2の範囲であり、さらに好ましくは１００〜２００ｇ／ｍ2の範囲である。この範囲であれば透けなどの問題を起こさず、審美性に適しており、また重量感もなく着用性が高い。
【００２２】
本発明の水着は、着用時に少なくとも着用者の腰部から膝上までを覆う水着であればよく、そのタイプは特に限定されない。ハーフスパッツ型、ロングスパッツ型（スパッツ型）、ショートジョンワンピース型、ロングジョンワンピース型、フルボディワンピース型のいずれであってもよい。
【００２３】
水着は、通常、着用者の身体の表面にほぼ密着した状態で着用される。「ほぼ密着」の状態を作るには、人体の裸のサイズに対して、周囲方向は５０％以上１１０％以下、さらに好ましくは７０％以上９５％以下、丈は７５％以上１００％以下、さらに好ましくは８５％以上１００％以下として水着を形成する。もちろん人体のサイズは個人差があるので、前記の比率は目安である。より具体的には、ＪＡＳＰＯ規格に従ってサイズを決める。
【００２４】
以下図面を用いて説明する。図１Ａは本発明の一実施形態における水着１００の正面図、図１Ｂは同背面図である。水着１００は、男性用ハーフスパッツ型水着である。図１Ｂに示しているように、強緊締部Ａ（１ａ、１ｂ）は、着用時に大臀筋の腰椎から外側に向けて連続的に３０％以上を覆う領域と、ハムストリングスの一部を覆う領域に配置する。好ましくは、強緊締部Ａ（１ａ、１ｂ）は、着用時に大臀筋の腰椎から外側に向けて連続的に５０％以上９０％以下を覆う領域と、ハムストリングスの半腱様筋及び半膜様筋の一部を覆う領域に配置する。強緊締部Ａ（１ａ、１ｂ）は、縦方向後面から見て逆ハ字状になっている。強緊締部Ａ（１ａ、１ｂ）は、大臀筋を覆う大臀筋強緊締部（１ｃ、１ｄ）と、ハムストリングスを覆うハムストリングス強緊締部（１ｅ、１ｆ）に分割することができる。強緊締部Ａ（１ａ、１ｂ）において、大臀筋強緊締部（１ｃ、１ｄ）は、水着を構成する第１の生地に第２の生地を重ね合せて形成することができる。前記第１の生地と第２の生地は、同じ生地であってもよく、異なる生地であってもよい。また、強緊締部Ａ（１ａ、１ｂ）は、臀溝を覆う領域に配置されている臀溝貼り合わせ部（２ａ、２ｂ）と、腰部を覆う領域に配置されている腰貼り合わせ部（３ａ、３ｂ）と、強緊締部Ａ（１ａ、１ｂ）の周縁部に配置されている外側貼り合わせ部（４ａ、４ｂ）と、外側貼り合わせ部（４ａ、４ｂ）の内側に配置されている内側貼り合わせ部（５ａ、５ｂ）を含む。外側貼り合わせ部（４ａ、４ｂ）と内側貼り合わせ部（５ａ、５ｂ）は、臀部から内股部まで伸びており、縦方向後面から見て逆ハ字状になっている。上記貼り合わせ部分は、第１の生地及び／又は第２の生地にホットメルト層により第３の生地を貼り合わせることで形成することができる。前記第３の生地は、第１の生地及び／又は第２の生地と同じ生地であってもよく、異なる生地であってもよい。強緊締部Ａ（１ａ、１ｂ）により、水泳時に、腰や脚が上半身より下がることや脚が外へ開くのを効果的に抑制し、運動パフォーマンスを向上させることができる。水着１００を着用し、水泳時にキックを打つと、強緊締部Ａ（１ａ、１ｂ）により、矢印６で示す方向に力が掛かり、この力は矢印７で示す方向の力と矢印８で示す方向の力として機能する。矢印７で示す方向の力は、股関節内旋方向の力となり、脚（膝）が外へ開くのを防ぐことができる。また、矢印８で示す方向の力は、股関節伸展方向の力となり、脚が落ちるのを防ぐことができる。水着１００において、主に大腿の前面を覆う領域１０１と主に大腿の後面を覆う領域１０２は、異なる生地で構成されてもよく、同様の生地で構成されてもよい。例えば、主に大腿の後面を覆う領域１０２を構成する生地の１０％長軸荷重は、主に大腿の前面を覆う領域１０１を構成する生地の１０％長軸荷重より大きいことが好ましい。
【００２５】
図２Ａは本発明の他の一実施形態における水着１１０の正面図、図２Ｂは同背面図である。水着１１０は、男性用ハーフスパッツ型水着である。図２Ｂに示しているように、強緊締部Ａ（１０ａ、１０ｂ）は、着用時に大臀筋の腰椎から外側に向けて連続的に３０％以上を覆う領域と、ハムストリングスの一部を覆う領域に配置する。好ましくは、強緊締部Ａ（１０ａ、１０ｂ）は、着用時に大臀筋の腰椎から外側に向けて連続的に５０％以上９０％以下を覆う領域と、ハムストリングスの半腱様筋及び半膜様筋の一部を覆う領域に配置する。強緊締部Ａ（１０ａ、１０ｂ）は、縦方向後面から見て逆ハ字状になっている。強緊締部Ａ（１０ａ、１０ｂ）は、大臀筋を覆う大臀筋強緊締部（１０ｃ、１０ｄ）と、ハムストリングスを覆うハムストリングス強緊締部（１０ｅ、１０ｆ）に分割することができる。強緊締部Ａ（１０ａ、１０ｂ）において、大臀筋強緊締部（１０ｃ、１０ｄ）は、水着を構成する第１の生地に第２の生地を重ね合せて形成することができる。前記第１の生地と第２の生地は、同じ生地であってもよく、異なる生地であってもよい。また、強緊締部Ａ（１０ａ、１０ｂ）は、臀溝を覆う領域に配置されている臀溝貼り合わせ部（１１ａ、１１ｂ）と、腰部を覆う領域に配置されている腰貼り合わせ部（１２ａ、１２ｂ）と、強緊締部Ａ（１０ａ、１０ｂ）の周縁部に配置されている外側貼り合わせ部（１３ａ、１３ｂ）と、外側貼り合わせ部（１３ａ、１３ｂ）の内側に配置されている内側貼り合わせ部（１４ａ、１４ｂ）を含む。外側貼り合わせ部（１３ａ、１３ｂ）と内側貼り合わせ部（１４ａ、１４ｂ）は、臀部から内股部まで伸びており、縦方向後面から見て逆ハ字状になっている。上記貼り合わせ部分は、第１の生地及び／又は第２の生地にホットメルト層により第３の生地を貼り合わせることで形成することができる。前記第３の生地は、第１の生地及び／又は第２の生地と同じ生地であってもよく、異なる生地であってもよい。強緊締部Ａ（１０ａ、１０ｂ）により、水泳時に、腰や脚が上半身より下がることや脚が外へ開くのを効果的に抑制し、運動パフォーマンスを向上させることができる。水着１１０を着用し、水泳時にキックを打つと、強緊締部Ａ（１０ａ、１０ｂ）により、矢印１６で示す方向に力が掛かり、この力は矢印１７で示す方向の力と矢印１８で示す方向の力として機能する。矢印１７で示す方向の力は、股関節内旋方向の力となり、脚（膝）が外へ開くのを防ぐことができる。また、矢印１８で示す方向の力は、股関節伸展方向の力となり、脚が落ちるのを防ぐことができる。水着１１０において、主に大腿の前面を覆う領域１１１と主に大腿の後面を覆う領域１１２は、異なる生地で構成されてもよく、同様の生地で構成されてもよい。例えば、主に大腿の後面を覆う領域１１２を構成する生地の１０％長軸荷重は、主に大腿の前面を覆う領域１１１を構成する生地の１０％長軸荷重より大きいことが好ましい。
【００２６】
水着１００と、水着１１０は、強緊締部Ａの形状が異なるのみである。具体的には、水着１００における強緊締部Ａ（１ａ）と強緊締部Ａ（１ｂ）の上部が、それぞれ、水着１１０における強緊締部Ａ（１０ａ）と強緊締部Ａ（１０ｂ）の上部より内側に配置されている。
【００２７】
図３Ａは本発明の他の一実施形態における水着２００の正面図、図３Ｂは同背面図である。水着２００は、女子用ハーフスパッツ型水着である。図３Ｂに示しているように、強緊締部Ａ（２０ａ、２０ｂ）は、着用時に大臀筋の腰椎から外側に向けて連続的に３０％以上を覆う領域と、ハムストリングスの一部を覆う領域に配置する。好ましくは、強緊締部Ａ（２０ａ、２０ｂ）は、着用時に大臀筋の腰椎から外側に向けて連続的に５０％以上９０％以下を覆う領域と、ハムストリングスの半腱様筋及び半膜様筋の一部を覆う領域に配置する。強緊締部Ａ（２０ａ、２０ｂ）は、縦方向後面から見て逆ハ字状になっている。強緊締部Ａ（２０ａ、２０ｂ）は、大臀筋を覆う大臀筋強緊締部（２０ｃ、２０ｄ）と、ハムストリングスを覆うハムストリングス強緊締部（２０ｅ、２０ｆ）に分割することができる。強緊締部Ａ（２０ａ、２０ｂ）において、大臀筋強緊締部（２０ｃ、２０ｄ）は、水着を構成する第１の生地に第２の生地を重ね合せて形成することができる。前記第１の生地と第２の生地は、同じ生地であってもよく、異なる生地であってもよい。また、強緊締部Ａ（２０ａ、２０ｂ）は、臀溝を覆う領域に配置されている臀溝貼り合わせ部（２１ａ、２１ｂ）と、腰部を覆う領域に配置されている腰貼り合わせ部（２２ａ、２２ｂ）と、強緊締部Ａ（２０ａ、２０ｂ）の周縁部に配置されている外側貼り合わせ部（２３ａ、２３ｂ）と、外側貼り合わせ部（２３ａ、２３ｂ）の内側に配置されている内側貼り合わせ部（２４ａ、２４ｂ）を含む。外側貼り合わせ部（２３ａ、２３ｂ）と内側貼り合わせ部（２４ａ、２４ｂ）は、臀部から内股部まで伸びており、縦方向後面から見て逆ハ字状になっている。上記貼り合わせ部分は、第１の生地及び／又は第２の生地にホットメルト層により第３の生地を貼り合わせて形成することができる。前記第３の生地は、第１の生地及び／又は第２の生地と同じ生地であってもよく、異なる生地であってもよい。強緊締部Ａ（２０ａ、２０ｂ）により、水泳時に、腰や脚が上半身より下がることや脚が外へ開くのを効果的に抑制し、運動パフォーマンスを向上させることができる。水着２００を着用し、水泳時にキックを打つと、強緊締部Ａ（２０ａ、２０ｂ）により、矢印２６で示す方向に力が掛かり、この力は矢印２７で示す方向の力と矢印２８で示す方向の力として機能する。矢印２７で示す方向の力は、股関節内旋方向の力となり、脚（膝）が外へ開くのを防ぐことができる。また、矢印２８で示す方向の力は、股関節伸展方向の力となり、脚が落ちるのを防ぐことができる。水着２００において、主に身体の前面を覆う領域２０１と主に身体の後面を覆う領域２０２は、異なる生地で構成されてもよく、同様の生地で構成されてもよい。例えば、主に身体の後面を覆う領域２０２を構成する生地の１０％長軸荷重は、主に身体の前面を覆う領域２０１を構成する生地の１０％長軸荷重より大きいことが好ましい。
【実施例】
【００２８】
以下、本発明の実施例について説明するが、本発明はこれらに限定されるものではない。
（実施例１）
【００２９】
生地Ｉと生地ＩＩを用い、図１Ａ〜１Ｂに示すような男性用ハーフスパッツ型水着１００（ＪＡＳＰＯ規格Ｍサイズ）を作製した。生地Ｉは主に大腿の前面を覆う領域１０１を構成し、生地ＩＩは主に大腿の後面を覆う領域１０２を構成した。そして、図１Ｂに示しているように、着用時に大臀筋の腰椎から外側に向けて連続的に６５％を覆う領域と、ハムストリングスの半腱様筋及び半膜様筋の一部を覆う領域に強緊締部Ａ（１ａ、１ｂ）を配置した。強緊締部Ａ（１ａ、１ｂ）は、縦方向後面から見て逆ハ字状になっていた。
【００３０】
強緊締部Ａ（１ａ、１ｂ）において、大臀筋強緊締部（１ｃ、１ｄ）は、生地ＩＩを重ね合せて二重生地にして形成した。ホットメルト接着剤( ユタックス社製、品名「Ｊ８６１」)により、生地ＩＩに生地ＩＩＩを貼り合わせて、臀溝貼り合わせ部（２ａ、２ｂ）と、腰貼り合わせ部（３ａ、３ｂ）と、外側貼り合わせ部（４ａ、４ｂ）と、内側貼り合わせ部（５ａ、５ｂ）を形成した。外側貼り合わせ部（４ａ、４ｂ）と内側貼り合わせ部（５ａ、５ｂ）は、臀部から内股部まで伸びており、縦方向後面から見て逆ハ字状になっていた。
【００３１】
生地Ｉは、平織りの織物で、目付けは９８ｇ／ｍ2であり、織物の繊維組成は、ナイロン６８％、ポリウレタン３２％であった。経糸は、ポリウレタン（繊度：４４ｄｔｅｘ）にナイロン（繊度：２２ｄｔｅｘ）をカバーリングした糸を用いた。緯糸は、ポリウレタン（繊度：３３ｄｔｅｘ）にナイロン（繊度：２２ｄｔｅｘ）をカバーリングした糸を用いた。密度（打ち込み本数）は、経糸２１０本／インチ、緯糸１９４本／インチであった。生地ＩＩは、平織りの織物で、目付けは１３１ｇ／ｍ2であり、織物の繊維組成は、ナイロン６５％、ポリウレタン３５％であった。経糸は、ポリウレタン（繊度：７８ｄｔｅｘ）にナイロン（繊度：３３ｄｔｅｘ）をカバーリングした糸を用いた。緯糸は、ポリウレタン（繊度：５５ｄｔｅｘ）にナイロン（繊度：３３ｄｔｅｘ）をカバーリングした糸を用いた。密度（打ち込み本数）は、経糸１８５本／インチ、緯糸１７２本／インチとした。生地ＩＩＩは、平織りの織物で、目付けは１４０ｇ／ｍ2であり、織物の繊維組成は、ナイロン６３％、ポリウレタン３７％であった。経糸は、ポリウレタン（繊度：７８ｄｔｅｘ）にナイロン（繊度：３３ｄｔｅｘ）をカバーリングした糸を用いた。緯糸は、ポリウレタン（繊度：５５ｄｔｅｘ）にナイロン（繊度：３３ｄｔｅｘ）をカバーリングした糸を用いた。密度（打ち込み本数）は、経糸１７８本／インチ、緯糸１８０本／インチとした。
【００３２】
（実施例２）
内側貼り合わせ部（５ａ、５ｂ）を設けていない以外は、実施例１と同様にして、水着を作製した。
【００３３】
（実施例３）
領域１０１を生地ＩＩで構成した以外は、実施例２と同様にして、水着を作製した。
【００３４】
（実施例４）
領域１０１を生地ＩＩで構成した以外は、実施例１と同様にして、水着を作製した。
【００３５】
生地Ｉ、生地ＩＩ及び強緊締部Ａの身体の長軸方向に１０〜５０％伸長時の荷重を下記表１に示した。また、生地Ｉ、生地ＩＩ及び強緊締部Ａの身体の短軸方向に１０〜５０％伸長時の荷重を下記表２に示した。
【００３６】
【表１】
2014091894.tif 000003
【００３７】
【表２】
2014091894.tif 000004
【００３８】
（比較例１）
強緊締部を設けず、生地Ｉのみを用いて実施例１と同様にして男性用ハーフスパッツ型水着を作製した。
【００３９】
（比較例２）
強緊締部を設けず、生地ＩＩのみを用いて実施例１と同様にして男性用ハーフスパッツ型水着を作製した。
【００４０】
実施例１の水着及び現行品の水着（ミズノ株式会社製の「ＧＸ−ＭＯＴＩＯＮ」）を男子大学生３名に着用させ、けのび姿勢１２．５ｍのタイムを測定した。その結果を下記表３に示した。
【００４１】
【表３】
2014091894.tif 000005
【００４２】
上記表３の結果から分かるように、実施例１の水着を着用した方が、タイムが速く、運動パフォーマンスが向上した。
【００４３】
実施例１及び比較例３の水着を男子大学生６名に着用させ、レース形式のタイムを測定した。その結果を下記表４に示した。
【００４４】
【表４】
2014091894.tif 000006
【００４５】
また、下記表５に示す項目についてアンケートをとった。各項目に対する評価が悪い場合を１とし、普通の場合を３とし、よい場合を５とし、１〜５の間の数値で評価の度合を示した。その結果を下記表５に示した。
【００４６】
【表５】
2014091894.tif 000007
【００４７】
表５の結果から、本発明の水着を着用すると、臀部（お尻）に対するサポート力と浮き感を感じ、大腿が動きやすいことが分かった。
【００４８】
実施例と比較例の水着を着用して水泳する際（けのび時、平泳ぎ時、クロール時）の股関節筋群、関節伸筋群、股関節内旋筋群の筋張力を下記のように評価し、水着を着用していない裸体に対する相対的な筋張力の結果を下記表６に示した。股関節筋群は、大臀筋、中臀筋、小殿筋、大腿直筋、ハムストリングス(大腿二頭筋、半腱様筋、半膜様筋)、大腿筋膜張筋、大内転筋、長内転筋、短内転筋、恥骨筋、腸腰筋、薄筋、縫工筋、梨状筋、内閉鎖筋及び大腿方形筋を含み、股関節伸筋群は、大臀筋、中臀筋、小殿筋及びハムストリングスを含み、股関節内旋筋群は、半腱様筋、半腱膜筋、中臀筋(外側)、小殿筋(外側)及び大腿筋膜張筋を含む。
【００４９】
（筋張力の評価方法）
筋張力は、ＪＩＳ  Ｌ  １０９６  ８．１４．Ａ法に準じ、チャック間隔１０ｃｍ、引張速度２０ｃｍ／分で測定する身体の長軸方向における生地の荷重−伸長率曲線を筋骨格モデルにおいて新たに線要素の物性値として入力して評価した。線要素は、骨要素と筋要素を含む筋骨格モデルにおいて、骨要素に対して固定された複数の点をつなぐワイヤ要素として設定した。強緊締部Ａ、生地Ｉ及び生地ＩＩの荷重−伸長率曲線を、順次、線要素Ｔ１、線要素Ｔ２及び線要素Ｔ３の物性値として設定した。線要素Ｔ１、Ｔ２及びＴ３は、それぞれ、強緊締部Ａを構成する生地、下腹部から大腿前部を覆う生地、腸骨稜周辺から大転子周辺を経由して大腿骨外側上顆周辺に至る範囲を覆う生地を想定して設定した。線要素Ｔ１及びＴ３の始点、経由点及び終点は図６に示したとおりである。線要素Ｔ２は、身体前面から見て骨盤を形成する腸骨の上縁かつ正中線と腸骨外縁部との間のおよそ５０％の点から開始し、身体前面から見ておよそ股関節（中心）を経由し、身体前面から見て膝関節（中心）に至る。
【００５０】
【表６】
2014091894.tif 000008
【００５１】
表６のデータから、実施例１〜４の水着を着用した場合、比較例１〜２の水着を着用した場合に比べて、けのび時の股関節筋群の筋張力が小さく、水着により股関節筋群がサポートされていることが分かった。また、実施例１〜４の水着を着用した場合、比較例１〜２の水着を着用した場合に比べて、平泳ぎ時及びクロール時の股関節伸筋群及び股関節内旋筋群の筋張力が小さく、水着により股関節伸筋群及び股関節内旋筋群がサポートされていることが分かった。
【産業上の利用可能性】
【００５２】
本発明の水着は、とくに競泳用水着に好適である。
【符号の説明】
【００５３】
１ａ、１ｂ、１０ａ、１０ｂ、２０ａ、２０ｂ  強緊締部Ａ
１ｃ、１ｄ、１０ｃ、１０ｄ、２０ｃ、２０ｄ  大臀筋強緊締部
１ｅ、１ｆ、１０ｅ、１０ｆ、２０ｅ、２０ｆ  ハムストリングス強緊締部
２ａ、２ｂ、１１ａ、１１ｂ、２１ａ、２１ｂ  臀溝貼り合わせ部
３ａ、３ｂ、１２ａ、１２ｂ、２２ａ、２２ｂ  腰貼り合わせ部
４ａ、４ｂ、１３ａ、１３ｂ、２３ａ、２３ｂ  外側貼り合わせ部
５ａ、５ｂ、１４ａ、１４ｂ、２４ａ、２４ｂ  内側貼り合わせ部
１００、１１０、２００、２１０  水着
１０１、１１１  主に大腿の前面を覆う領域
１０２、１１２  主に大腿の後面を覆う領域
２０１  主に身体の前面を覆う領域
２０２  主に身体の後面を覆う領域
３００  皮膚の伸びの程度を示す度合
【図１】
2014091894.tif 000009
【図２】
2014091894.tif 000010
【図３】
2014091894.tif 000011
【図４】
2014091894.tif 000012
【図５】
2014091894.tif 000013
【図６】
2014091894.tif 000014